(57)【要約】【課題】１〜４の数字を用いて複数の０〜１０を表示する場合にどのように数字を特定しているかを電子計算機自体が認識することができる数字処理装置を提供する。【解決手段】数字処理装置１は、それぞれ１〜４の数字からなる第１〜第４基本数字を格納している格納部４と、第１〜第４基本数字に対応して面積を有して表現される第１〜第４図形体１１〜１４と、第１〜第４図形体１１〜１４が表示される表示部３と、第１〜第４基本数字を選択する又は選択しないことで０〜１０からなる表現数字を入力する入力部５とを備え、第１図形体１１の面積を基準面積とし、第２〜第４図形体１２〜１４の面積は基準面積のそれぞれ２〜４倍であり、第２〜第４図形体１２〜１４の面積を基準面積で除算してその商を求めることで第２〜第４図形体１２〜１４が第２〜第４基本数字であることを認識するための基本数字判断部６をさらに備えている。【選択図】        図１
2014228913.tif 000002
【特許請求の範囲】
【請求項１】
それぞれ１〜４の数字からなる第１〜第４基本数字を格納している格納部と、
前記第１〜第４基本数字に対応して面積を有して表現される第１〜第４図形体と、
該第１〜第４図形体が表示される表示部と、
前記第１〜第４基本数字を選択する又は選択しないことで０〜１０からなる表現数字を入力する入力部と
を備え、
前記第１図形体の面積を基準面積とし、
前記第２〜第４図形体の面積は前記基準面積のそれぞれ２〜４倍であり、
前記第２〜第４図形体の面積を前記基準面積で除算してその商を求めることで前記第２〜第４図形体が前記第２〜第４基本数字であることを認識するための基本数字判断部をさらに備えたことを特徴とする数字処理装置。
【請求項２】
前記第１〜第４図形体は、間隔を存して前記第１図形体から前記第４図形体までが配された同心円からなる円環形状であることを特徴とする請求項１に記載の数字処理装置。
【請求項３】
前記円環形状は、周方向に隙間を有して断続的に描かれ、前記第２〜第４図形体を示す前記円環形状はそれぞれ前記隙間を２〜４有していることを特徴とする請求項２に記載の数字処理装置。
【請求項４】
前記第１図形体は単一の矩形形状であり、前記第２〜第４図形体は前記矩形形状がそれぞれ２〜４個であることを特徴とする請求項１に記載の数字処理装置。
【発明の詳細な説明】
【技術分野】
【０００１】
本発明は、電子計算機を用いて複数の０〜１０の数字を表示するための数字処理装置に関する。
【背景技術】
【０００２】
１〜４の数字を用いて複数の０〜１０を表示する数字処理装置が知られている（例えば特許文献１参照）。この特許文献１に記載の数字処理装置は、例えば数字の５を表示する場合に同じ数字５であっても１＋４と２＋３の２種類に分別されることに着目し、これをわかりやすく認識させるために同心円からなる図形や矩形形状の図面により表示するものである。
【０００３】
しかしながら、特許文献１に記載の数字処理装置では、数字の入力者や確認者等の人による認識が図形によって容易にできるものであるが、電子計算機は図形自体を認識することができない。すなわち、図形というアナログ表示は人には見やすいものであるが、これをデジタル化して電子計算機に認識させればさらにこの数字処理装置を発展的に利用することができる。
【先行技術文献】
【特許文献】
【０００４】
【特許文献１】特許第４８５５７３３号公報
【発明の概要】
【発明が解決しようとする課題】
【０００５】
本発明は、上記従来技術を考慮したものであり、１〜４の数字を用いて複数の０〜１０を表示する場合にどのように数字を特定しているかを電子計算機自体が認識することができる数字処理装置を提供することを目的とする。
【課題を解決するための手段】
【０００６】
前記目的を達成するため、本発明では、それぞれ１〜４の数字からなる第１〜第４基本数字を格納している格納部と、前記第１〜第４基本数字に対応して面積を有して表現される第１〜第４図形体と、該第１〜第４図形体が表示される表示部と、前記第１〜第４基本数字を選択する又は選択しないことで０〜１０からなる表現数字を入力する入力部とを備え、前記第１図形体の面積を基準面積とし、前記第２〜第４図形体の面積は前記基準面積のそれぞれ２〜４倍であり、前記第２〜第４図形体の面積を前記基準面積で除算してその商を求めることで前記第２〜第４図形体が前記第２〜第４基本数字であることを認識するための基本数字判断部をさらに備えたことを特徴とする数字処理装置を提供する。
【０００７】
好ましくは、前記第１〜第４図形体は、間隔を存して前記第１図形体から前記第４図形体までが配された同心円からなる円環形状である。
【０００８】
好ましくは、前記円環形状は、周方向に隙間を有して断続的に描かれ、前記第２〜第４図形体を示す前記円環形状はそれぞれ前記隙間を２〜４有している。
【０００９】
好ましくは、前記第１図形体は単一の矩形形状であり、前記第２〜第４図形体は前記矩形形状がそれぞれ２〜４個である。
【発明の効果】
【００１０】
本発明によれば、第１図形体の面積を基準面積とし、第２〜第４図形体の面積は基準面積のそれぞれ２〜４倍であり、第２〜第４図形体の面積を基準面積で除算してその商を求めることで第２〜第４図形体が第２〜第４基本数字であることを認識するための基本数字判断部をさらに備えている。このため、視認により人が第１〜第４図形体を特定できるのみならず、演算により電子計算機が第１〜第４図形体を特定することができる。これにより、図形というアナログ表示をデジタル化することができ、第１〜第４図形体を電子計算機に認識させて発展的に数字処理装置を利用することができる。
【図面の簡単な説明】
【００１１】
【図１】本発明に係る数字処理装置の概略図である。
【図２】第１〜第４図形体の一例を示す概略図である。
【図３】第１〜第４図形体の他の例を示す概略図である。
【発明を実施するための形態】
【００１２】
図１に示すように、本発明に係る数字処理装置１は、装置本体２と、この装置本体２に表示される画面としての表示部３とを備えている。表示部３にはそれぞれ面積を有する第１〜第４図形体１１〜１４が表示される。この第１〜第４図形体１１から１４は、それぞれ１〜４の数字からなる第１〜第４基本数字に対応している。この第１〜第４基本数字は、装置本体２内に備わる格納部４に格納されている。
【００１３】
利用者はこの第１〜第４基本数字を選択する又はしないことで０〜１０からなる表現数字を入力する。入力は表示部３に描かれた第１〜第４図形体１１〜１４をタッチすることでこれに対応する第１〜第４基本数字を選択して行ってもよいし、装置本体２に別途第１〜第４基本数字の入力ボタンを設けてもよい。図１の例では第１〜第４基本数字を選択して表現数字を入力するものとして第１〜第４図形体１１〜１４が描かれたタッチパネルを入力部５としている。
【００１４】
０〜１０の入力は以下のようにして行われる。利用者が基本数字のいずれも選択せず決定した場合は表現数字０となる。第１〜第２基本数字のそれぞれを単独で選択した場合は表現数字１〜２となる。第１基本数字と第２基本数字又は第３基本数字のみを選択した場合は表現数字３となる。第１基本数字と第３基本数字又は第４基本数字のみを選択した場合は表現数字４となる。第１基本数字と第４基本数字又は第２基本数字と第３基本数字を選択した場合は表現数字５となる。第１基本数字と第２基本数字と第３基本数字又は第２基本数字と第４基本数字を選択した場合は表現数字６となる。第１基本数字と第２基本数字と第４基本数字又は第３基本数字と第４基本数字を選択した場合は表現数字７となる。第１基本数字と第３基本数字と第４基本数字を選択した場合は表現数字８となる。第２基本数字と第３基本数字と第４基本数字を選択した場合は表現数字９となる。第１〜第４基本数字の全てを選択した場合は表現数字１０となる。
【００１５】
これにより、利用者が第１〜第４基本数字を直接、又は第１〜第４図形体１１〜１４を介して間接的に取捨選択することにより０〜１０の表現数字を特定することができる。例えば物品や人物を特定するためのＩＤ番号や暗証番号は複数の数字からなっていて、この番号により照合するが、同じ数字であっても第１〜第４基本数字を用いて複数通りの特定が可能となるのでセキュリティ機能を高めることができる。ＩＤ番号や暗証番号を入力の際、利用者は表示部３に描かれた第１〜第４図形体１１〜１４を視認することにより表現数字がどの基本数字で特定されているかを確認することができる。
【００１６】
ここで、装置本体２内には電子計算機(不図示)が収容されていて、上述した格納部４はこの電子計算機内に配されている。この電子計算機内にはさらに基本数字判断部６が配されている。基本数字判断部６には以下のような機構が備わっている。基本数字判断部６は、まず第１図形体１１が有する面積を基準面積として認定する。この基準面積の値は予め判断部６に入力されている。そして、選択された第２〜第４図形体１２〜１４の面積を求め、基準面積で除算する。第２〜第４図形体１２〜１４の面積は予め入力されていてもよいし、選択された図形体１２〜１４を個々に認識してそれぞれ求めさせてもよい。第２〜第４図形体１２〜１４の面積は前記基準面積のそれぞれ２〜４倍として予め設定されているため、上記除算を行って商を求めると第２図形体１２は２に、第３図形体１３は３に、第４図形体１４は４となる。これにより、第２〜第４図形体１２〜１４を第２〜第４基本数字として関連づけることができ、それらの図形体１２〜１４を電子計算機が第２〜第４基本数字として認識することができる。
【００１７】
このように第２〜第４図形体１２〜１４をそれぞれ基準面積で除するというステップを行うための基本数字判断部６を設けることにより、０〜１０という数字を二進法で演算を行う電子計算機に認識させることが可能となる。すなわち、除算後の結果が第１〜第４基本数字であるのか否かとして問うことで第１〜第４基本数字を正否のみで判断することが可能となる。
【００１８】
図２に示すように、第１〜第４図形体１１〜１４の例として、間隔を存して第１図形体１１から第４図形体１４までが配された同心円からなる円環形状がある。具体的には、最も内側の円環形状が第１図形体１１となり、間隔を存して径を広げることで第２図形体１２、さらに径を広げて第３図形体１３となり、最も外側に最も径の広い第４図形体１４が配される。図２では、全ての図形体１１〜１４が選択されて表現数字として１０が表された状態を示している。
【００１９】
上述したように、第２図形体１２〜第４図形体１４の面積は第１図形体１１が有する基準面積の２〜４倍であるから、そのように調整するために第２〜第４図形体１２〜１４は周方向に隙間７を有して断続的に描かれている。さらに利用者が見やすくなるように、第２図形体１２は隙間７が２個、第３図形体１３は隙間７が３個、第４図形体１４は隙間７が４個形成されている。この隙間７は、各図形体１２〜１４の円環形状を周方向に所定長さだけ切り出して形成され、各図形体１２〜１４を分割したセグメントとして形成する。
【００２０】
例えば径方向の各図形体１１〜１４の幅と各図形体１１〜１４との径方向の間隔がそれぞれ第１図形体１１の内側縁で規定される円８の半径ｒと等しい場合、第２図形体１２の隙間７ａの合計面積は第１図形体１１の内側縁で規定される円８の面積と等しく設定される。詳しくいえば、第１図形体１１の内側縁で規定される円８の半径がｒの場合、その面積はπｒ２となる。そうすると、第１図形体１１が有する基準面積は４πｒ２−πｒ２＝３πｒ２となる。隙間７ａがない状態の第２図形体１２の面積は１６πｒ２−９πｒ２＝７πｒ２となるため、第２図形体１２が第１図形体１１の２倍の面積となるためには７πｒ２からπｒ２を差し引けばよい。すなわち、隙間７ａの面積を円８の面積と等しいπｒ２とすればよい。同様の考え方で、第３図形体１３が有する面積は３６πｒ２−２５πｒ２＝１１πｒ２となるため、第３図形体１３が第１図形体１１の３倍の面積となるためには１１πｒ２から２πｒ２を差し引けばよい。すなわち、隙間７ａの面積を円８の面積の２倍の２πｒ２とすればよい。同様の考え方で、第４図形体１４が有する面積は６４πｒ２−４９πｒ２＝１５πｒ２となるため、第４図形体１４が第１図形体１１の４倍の面積となるためには１５πｒ２から３πｒ２を差し引けばよい。すなわち、隙間７ａの面積を円８の面積の３倍の３πｒ２とすればよい。
【００２１】
以上のような例では各図形体１１〜１４の径方向の長さ及び各図形体１１〜１４の互いの間隔が全て等しい場合について説明したが、これらが異なっている場合でも、隙間７の大きさを変えるだけで各図形体１１〜１４の面積を自由に変更することができるので、第２〜第４図形体１２〜１４の面積を第１図形体１１の面積の倍数とすることは容易に設定可能である。このように、各図形体１１〜１４の径方向の長さ及び各図形体１１〜１４の互いの間隔長さに応じて隙間７の大きさを自動的に変更させて第２図形体１２、第３図形体１３、第４図形体１４の面積をそれぞれ第１図形体１１の２倍、３倍、４倍とするように表示させてもよい。
【００２２】
また、図３に示すように、各図形体１１〜１４を矩形形状で示してもよい。図のように、第１図形体１１は単一の矩形形状であり、第２〜第４図形体１２〜１４は第１図形体１１と同様の矩形形状がそれぞれ２〜４個で表される。図３の例では、第２図形体１２と第３図形体１３が選択されて表現数字として５が表された状態を示している。
【００２３】
上記と重複になる部分もあるが、本発明によれば、第１図形体１１の面積を基準面積とし、第２〜第４図形体１２〜１４の面積は基準面積のそれぞれ２〜４倍であり、第２〜第４図形体１２〜１４の面積を基準面積で除算してその商を求めることで第２〜第４図形体１２〜１４が第２〜第４基本数字であることを認識するための基本数字判断部６をさらに備えている。このため、視認により人が第１〜第４図形体１１〜１４を特定できるのみならず、演算により電子計算機が第１〜第４図形体１１〜１４を特定することができる。これにより、図形というアナログ表示をデジタル化することができ、第１〜第４図形体１１〜１４を電子計算機に認識させて発展的に数字処理装置１を利用することができる。
【００２４】
数字処理装置１は表示部３に面積を有する図形体１１〜１４が表示されることで人による利便性と、さらに基本数字判断部６を設けることで電子計算機による利便性の両者を兼ね備えたという点で利便性を格段に高めている。
【符号の説明】
【００２５】
１：数字処理装置、２：装置本体、３：表示部、４：格納部、５：入力部、６基本数字判断部、７（７ａ〜７ｃ）：隙間、８：第１図形体の内側縁で規定される円、１１：第１図形体、１２：第２図形体、１３：第３図形体、１４：第４図形体
【図１】
2014228913.tif 000003
【図２】
2014228913.tif 000004
【図３】
2014228913.tif 000005